(57)【要約】【課題】    本考案は、使用勝手を向上したクリップを提供する。【解決手段】    クリップＣは、シート状の本体１と、この本体１に略Ｕ字形状の切り込み２を設けて、この切り込み２の内側に形成された略Ｕ字形状の舌部３と、本体１及び舌部２の裏面に取り付けられたマグネットシート４と、舌部３のマグネットシート４に取り付けられた面状ファスナー５とを備え、この面状ファスナー５は、ループ状の柔らかい雌突起５１である。【選択図】図５
0003127528.tif 000002
【実用新案登録請求の範囲】
【請求項１】
シート状の本体と、
この本体に略Ｕ字形状の切り込みを設けて、この切り込みの内側に形成された略Ｕ字形状の舌部と、
前記本体及び前記舌部の裏面に取り付けられたマグネットシートと、
前記舌部のマグネットシートに取り付けられた面状ファスナーとを備え、
前記面状ファスナーは、ループ状の柔らかい雌突起であることを特徴とするクリップ    。
【請求項２】
シート状の本体と、
この本体に略Ｕ字形状の切り込みを設けて、この切り込みの内側に形成された略Ｕ字形状の舌部と、
前記本体及び前記舌部の裏面に取り付けられたマグネットシートと、
前記舌部のマグネットシートに取り付けられた面状ファスナーとを備え、
前記面状ファスナーは、鉤状の柔らかい雄突起であることを特徴とするクリップ。
【請求項３】
シート状の本体と、
この本体に略Ｕ字形状の切り込みを設けて、この切り込みの内側に形成された略Ｕ字形状の舌部と、
前記本体及び前記舌部の裏面に取り付けられたマグネットシートと、
前記舌部のマグネットシートに取り付けられた面状ファスナーとを備え、
前記面状ファスナーは、ループ状の柔らかい雌突起と鉤状の柔らかい雄突起の両方を備えているものであることを特徴とするクリップ。
【請求項４】
本体は、平面視、略四角形状で、
面状ファスナーは、長手形状で、該長手形状の前記面状ファスナーの長手方向は、舌部の下端に略平行であることを特徴とする請求項１ないし３のいずれかのクリップ。
【考案の詳細な説明】
【技術分野】
【０００１】
本考案は、クリップに係り、特に、使用勝手を向上したクリップに関する。  
【背景技術】
【０００２】
壁面、家具、電気製品等のフラット面に取付け、メモ類等が片手で簡単にワンタッチで挟み込み、抜き取りができるメモクリップがある（例えば、特許文献１参照）。このメモクリップにあっては、舌片（２）の弾性力を利用してメモ類等を係止しようとするものである。
しかしながら、このメモクリップにあっては、舌片（２）の裏面を除く本体（１）の裏面にマグネットシート（７）が設けられている関係上、メモ類等の係止は、本体の舌片（２）による弾性力によって、舌片（２）の裏面に設けられた突起（４）でメモ類等を押し付けるもので、しかも、該突起（４）は、小さく、押圧面積が小となって、係止が十分でないと共に、繰り返し使用されると舌片（２）による弾性力も弱まり、更に、舌片（２）の裏面に設けられた突起（４）は、柔らかい素材で形成されていないため、変形せず、メモ類等を損傷し、使用勝手が良好でないという問題点があった。
【特許文献１】特開２００２−２６４５７３号公報（図２参照）
【考案の開示】
【考案が解決しようとする課題】
【０００３】
本考案は、前記した問題点を除去するようにしたクリップを提供することを目的としている。
【課題を解決するための手段】
【０００４】
前記した目的を達成するための請求項１記載のクリップは、シート状の本体と、この本体に略Ｕ字形状の切り込みを設けて、この切り込みの内側に形成された略Ｕ字形状の舌部と、前記本体及び前記舌部の裏面に取り付けられたマグネットシートと、前記舌部のマグネットシートに取り付けられた面状ファスナーとを備え、前記面状ファスナーは、ループ状の柔らかい雌突起である。
【０００５】
また、請求項２記載のクリップは、シート状の本体と、この本体に略Ｕ字形状の切り込みを設けて、この切り込みの内側に形成された略Ｕ字形状の舌部と、前記本体及び前記舌部の裏面に取り付けられたマグネットシートと、前記舌部のマグネットシートに取り付けられた面状ファスナーとを備え、前記面状ファスナーは、鉤状の柔らかい雄突起である。
【０００６】
また、請求項３記載のクリップは、シート状の本体と、この本体に略Ｕ字形状の切り込みを設けて、この切り込みの内側に形成された略Ｕ字形状の舌部と、前記本体及び前記舌部の裏面に取り付けられたマグネットシートと、前記舌部のマグネットシートに取り付けられた面状ファスナーとを備え、前記面状ファスナーは、ループ状の柔らかい雌突起と鉤状の柔らかい雄突起の両方を備えているものである。
【０００７】
また、請求項４記載のクリップは、請求項１ないし３のいずれかのクリップにおいて、本体は、平面視、略四角形状で、面状ファスナーは、長手形状で、該長手形状の前記面状ファスナーの長手方向は、舌部の下端に略平行である。
【考案の効果】
【０００８】
請求項１記載のクリップによれば、該クリップを設置部にマグネットシートを介して付着して使用する際、舌部の下端は、面状ファスナーのループ状の柔らかい雌突起により前記設置部より離間するため、舌部を一々手でめくらなくても  、用紙等を入れるための隙間が形成され、該隙間から用紙等を差し込むことができ、特に、手の不自由な人も使用することができ、しかも、面状ファスナーのループ状の雌突起は柔らかいため、容易に変形し、用紙等の侵入を阻害しないと共に、受け入れた後はマグネットシートの磁力と面状ファスナーのループ状の柔らかい雌突起で用紙等を強力に係止させ、係止した用紙等を取り出すときも、面状ファスナーのループ状の雌突起は柔らかいため容易に変形し、用紙等の離脱を阻害せず用紙等に損傷をも与えない使用勝手を向上したクリップを得ることができる。
【０００９】
また、請求項２記載のクリップによれば、該クリップを設置部にマグネットシートを介して付着して使用する際、舌部の下端は、面状ファスナーの鉤状の柔らかい雄突起により前記設置部より離間するため、舌部を一々手でめくらなくても、用紙等を入れるための隙間が形成され、該隙間から用紙等を差し込むことができ、特に、手の不自由な人も使用することができ、しかも、面状ファスナーの鉤状の雄突起は柔らかいため、容易に変形し、用紙等の侵入を阻害しないと共に、受け入れた後はマグネットシートの磁力と面状ファスナーの鉤状の柔らかい雄突起で用紙等を強力に係止させ、係止した用紙等を取り出すときも、面状ファスナーの鉤状の雄突起は柔らかいため容易に変形し、用紙等の離脱を阻害せず用紙等に損傷をも与えない使用勝手を向上したクリップを得ることができる。
【００１０】
また、請求項３記載のクリップによれば、該クリップを設置部にマグネットシートを介して付着して使用する際、舌部の下端は、面状ファスナーのループ状の柔らかい雌突起と鉤状の柔らかい雄突起の両方により前記設置部より離間するため、舌部を一々手でめくらなくても、用紙等を入れるための隙間が形成され、該隙間から用紙等を差し込むことができ、特に、手の不自由な人も使用することができ、しかも、面状ファスナーのループ状の雌突起及び鉤状の雄突起は柔らかいため、容易に変形し、用紙等の侵入を阻害しないと共に、受け入れた後はマグネットシートの磁力と面状ファスナーのループ状の柔らかい雌突起及び鉤状の柔らかい雄突起で用紙等を強力に係止させ、係止した用紙等を取り出すときも、面状ファスナーのループ状の雌突起及び鉤状の雄突起は柔らかいため容易に変形し、用紙等の離脱を阻害せず用紙等に損傷をも与えない使用勝手を向上したクリップを得ることができる。
【考案を実施するための最良の形態】
【００１１】
本考案の一実施例のクリップを図面を参照して説明する。
図１〜図５において、Ｃは用紙等を挟むクリップで、クリップＣは、平面視、略四角形状のシート状の本体１と、この本体１に略Ｕ字形状の切り込み２を設けて、切り込み２の内側に形成された略Ｕ字形状の舌部３とを備えている。
【００１２】
４は、本体１及び舌部３の裏面に取り付けられたマグネットシートで、５は、舌部３のマグネットシート４に取り付けられた面状ファスナーで、面状ファスナー５は、例えば、図５（ａ）（ｂ）に示すように、ループ状の柔らかい雌突起５１を有している。
【００１３】
従って、上述したクリップＣを鉄等の設置部１０にマグネットシート４を介して付着して使用すると（図３〜図５参照）、舌部の下端２１（図２参照）は、面状ファスナー５のループ状の柔らかい雌突起５１により設置部１０より離間するため、舌部３を一々手でめくらなくても、用紙２０等を入れるための隙間３０が形成され、用紙２０等を舌部３の下方から差し込むことができ、特に、手の不自由な人も使用することができる。
しかも、面状ファスナー５のループ状の雌突起５１は柔らかいため、容易に変形し[図５（ｂ）参照]、用紙２０等の侵入を阻害しないと共に、受け入れた後はマグネットシート４の磁力とループ状の柔らかい雌突起５１で用紙２０等を強力に係止させ、係止した用紙１０等を取り出すときも、面状ファスナー５のループ状の雌突起５１は柔らかいため容易に変形し、用紙１０等の離脱を阻害せず用紙１０等に損傷をも与えない使用勝手を向上したクリップＣを得ることができる  。
【００１４】
なお、上述した面状ファスナー５は、ループ状の柔らかい雌突起５１を有しているが、本考案は、これに限らず、図示しないが、周知の鉤状の柔らかい雄突起でも良いし、また、図示しないが、周知のループ状の柔らかい雌突起と鉤状の柔らかい雄突起の両方を備えているものでも良く、その作用効果は、上述した面状ファスナー５と同様である。
【図面の簡単な説明】
【００１５】
【図１】図１は、本考案の一実施例のクリップの使用状態の概略的正面図である。
【図２】図２（ａ）は、図１のクリップの概略的正面図であり、図２（ｂ）は図２（ａ）のクリップの概略的裏面図である。
【図３】図３（ａ）は、図１のクリップを設置面に取り付ける前の状態の概略的断面図であり、図３（ｂ）は図３（ａ）のクリップを設置面に取り付た状態の概略的断面図である。
【図４】図４は、図３（ｂ）を拡大して示す概略的拡大断面図である。
【図５】図５（ａ）は、用紙が装着される前の状態の概略的断面図であり、図５（ｂ）は図５（ａ）の用紙が装着された状態の概略的断面図である。
【符号の説明】
【００１６】
Ｃ      …………クリップ
１      …………本体
２      …………切り込み
３      …………舌部
４      …………マグネットシート
５      …………面状ファスナー
５１    …………雌突起
【図１】
0003127528.tif 000003
【図２】
0003127528.tif 000004
【図３】
0003127528.tif 000005
【図４】
0003127528.tif 000006
【図５】
0003127528.tif 000007